(57)【要約】  【課題】  電子バリューを用いて、所定の条件が成立した場合に機能の設定変更等を行うことで、機能の拡張性を高めることが可能な情報端末装置を提供する。  【解決手段】  ユーザがアクセス権限付き情報を含む電子チケットが記憶部３に記憶された携帯電話装置１を持って映画館のゲート１２を入場すると、アクセス権限付き情報モード変更部５によって電子チケット内のアクセス権限付き情報が変更される。映画を見終わったユーザが携帯電話装置１を持ってゲート１２を出場すると、アクセス権限付き情報実行部６によって電子チケット内のアクセス権限付き情報に記述された内容の動作が実行される。例えば、アクセス権限付き情報実行部６からブラウザ７にアクセス先のＵＲＬを転送し、ブラウザ７によって該当ＵＲＬのＷｅｂサイトにアクセスすることで、映画館に入場して出場した後にのみ、Ｗｅｂサーバ１３から送られてくるコンテンツを閲覧可能にする。【選択図】  図１
2005209011.tif 000002
【特許請求の範囲】
【請求項１】
アクセス権限付き情報を含む電子バリューを記憶する記憶手段と、
イベント情報を検出するイベント検出手段と、
前記検出したイベント情報が所定の条件を満たすか否かを判別する判別手段と、
前記イベント情報が所定の条件を満たす場合、前記電子バリューに設定されたアクセス権限付き情報のモードを変更するモード変更手段と、
前記アクセス権限付き情報のモードに基づき、このアクセス権限付き情報に記述された内容の動作を実行する実行手段と
を備える情報端末装置。
【請求項２】
請求項１記載の情報端末装置であって、
第２のイベント情報を検出する第２のイベント検出手段を備え、
前記実行手段は、前記第２のイベント情報が検出された場合、前記アクセス権限付き情報のモードに基づいてこのアクセス権限付き情報に記述された内容の動作を実行する情報端末装置。
【請求項３】
請求項１記載の情報端末装置であって、
前記第２のイベント検出手段は、前記第２のイベント情報として、ユーザの要求入力を検出し、
前記ユーザの要求入力が検出された場合、前記実行手段は、前記アクセス権限付き情報のモードに基づいてこのアクセス権限付き情報に記述された内容の動作を実行する情報端末装置。
【請求項４】
請求項１〜３のいずれか一項記載の情報端末装置であって、
前記検出されるイベント情報は現在の日時であり、
前記現在の日時が前記所定の条件を満たす場合、前記モード変更手段は、前記アクセス権限付き情報のモードを変更する情報端末装置。
【請求項５】
請求項１または２記載の情報端末装置であって、
前記アクセス権限付き情報のモードを変更する所定の条件として複数の条件を有し、
前記複数の条件のうちの特定の条件を満たす場合、前記モード変更手段は、前記満たされた条件に対応する前記アクセス権限付き情報のモードの変更を行う情報端末装置。
【請求項６】
請求項１〜３のいずれか一項記載の情報端末装置であって、
前記検出されるイベント情報は通知信号であり、
前記通知信号が前記所定の条件を満たす場合、前記モード変更手段は、前記アクセス権限付き情報のモードを変更する情報端末装置。
【請求項７】
請求項１〜３のいずれか一項記載の情報端末装置であって、
前記実行手段は、通信手段及びコンテンツ再生手段を有し、前記アクセス権限付き情報に記述されたコンテンツ供給元にアクセスして所定のコンテンツを取得し、このコンテンツを閲覧可能にする情報端末装置。
【請求項８】
請求項１〜３のいずれか一項記載の情報端末装置であって、
前記実行手段は、コンテンツ再生手段を有し、前記アクセス権限付き情報に記述された内容に関連する情報の再生を行う情報端末装置。
【請求項９】
請求項１記載の情報端末装置であって、
前記実行手段は、前記アクセス権限付き情報に記述された内容に基づき、当該情報端末装置における機能の動作制御を行う情報端末装置。
【請求項１０】
アクセス権限付き情報を含む電子バリューを利用する情報端末装置の端末制御方法であって、
前記アクセス権限付き情報を含む電子バリューを記憶する記憶ステップと、
イベント情報を検出するイベント検出ステップと、
前記検出したイベント情報が所定の条件を満たすか否かを判別する判別ステップと、
前記イベント情報が所定の条件を満たす場合、前記電子バリューに設定されたアクセス権限付き情報のモードを変更するモード変更ステップと、
前記アクセス権限付き情報のモードに基づき、このアクセス権限付き情報に記述された内容の動作を実行する実行ステップと
を有する端末制御方法。
【請求項１１】
情報端末装置内のコンピュータに、請求項１０記載の端末制御方法の各ステップを実行させるためのプログラム。
【発明の詳細な説明】
【技術分野】
【０００１】
本発明は、電子チケット等の電子バリューを利用可能な情報端末装置、及びその端末制御方法並びにプログラムに関する。
【背景技術】
【０００２】
最近では、携帯電話装置等に代表されるように、携帯可能な情報端末装置が普及している。この種の情報端末装置において、例えば、出入り口などに設置された無線端末制御装置から発信された機能制御信号を受信した場合に、送信禁止状態や振動報知状態に機能を変更することが可能な無線端末が提案されている（例えば、特許文献１参照）。
【０００３】
また、ユーザが電子チケットを購入した際、コンサートや演劇の開演時間になると、携帯電話の電源をＯＦＦにするような情報が含まれる電子チケット情報を記憶する携帯電話が提案されている（例えば、特許文献２参照）。
【０００４】
しかしながら、上記従来例では、特定の制御信号を受信したり、所定時刻に達した場合に、端末の動作を変更したり、電源をＯＦＦしたりなど、単に端末の動作を制御するだけであり、その制御対象も限定的なものであった。
【０００５】
【特許文献１】特開平１０−２４３４５４号公報
【特許文献２】特開２００３−８７３９８号公報
【発明の開示】
【発明が解決しようとする課題】
【０００６】
本発明は、上記事情に鑑みてなされたもので、電子バリューを用いて、所定の条件が成立した場合に機能の設定変更等を行うことで、機能の拡張性を高めることが可能な情報端末装置、及びその端末制御方法並びにプログラムを提供することを目的とする。
【課題を解決するための手段】
【０００７】
本発明の情報端末装置は、アクセス権限付き情報を含む電子バリューを記憶する記憶手段と、イベント情報を検出するイベント検出手段と、前記検出したイベント情報が所定の条件を満たすか否かを判別する判別手段と、前記イベント情報が所定の条件を満たす場合、前記電子バリューに設定されたアクセス権限付き情報のモードを変更するモード変更手段と、前記アクセス権限付き情報のモードに基づき、このアクセス権限付き情報に記述された内容の動作を実行する実行手段とを備えるものである。
【０００８】
この構成により、電子バリューにアクセス権限付き情報を設定しておき、所定の条件が成立した場合、アクセス権限付き情報のモードを変更することで、アクセス権限付き情報に記述された内容の実行を制御することができ、アクセス権限付き情報によって情報端末装置の機能の拡張性を高めることが可能となる。例えば、所定条件の成立によってアクセス権限付き情報のモードを変更し、実行制限がなされていた機能を実行可能にすることができる。
【０００９】
また、本発明の一態様として、上記の情報端末装置であって、第２のイベント情報を検出する第２のイベント検出手段を備え、前記実行手段は、前記第２のイベント情報が検出された場合、前記アクセス権限付き情報のモードに基づいてこのアクセス権限付き情報に記述された内容の動作を実行するものも含まれる。
【００１０】
この構成により、第２のイベント情報の検出によってアクセス権限付き情報のモード変更を自動的に行うことができる。
【００１１】
また、本発明の一態様として、上記の情報端末装置であって、前記第２のイベント検出手段は、前記第２のイベント情報として、ユーザの要求入力を検出し、前記ユーザの要求入力が検出された場合、前記実行手段は、前記アクセス権限付き情報のモードに基づいてこのアクセス権限付き情報に記述された内容の動作を実行するものも含まれる。
【００１２】
この構成により、アクセス権限付き情報を用いた動作を実行する際、ユーザの要求に応じて実行でき、ユーザの意思を反映させることが可能となる。
【００１３】
また、本発明の一態様として、上記の情報端末装置であって、前記検出されるイベント情報は現在の日時であり、前記現在の日時が前記所定の条件を満たす場合、前記モード変更手段は、前記アクセス権限付き情報のモードを変更するものも含まれる。
【００１４】
この構成により、アクセス権限付き情報を用いた動作を実行する際、所定の時間の経過によって所定の動作を実行させることが可能となる。
【００１５】
また、本発明の一態様として、上記の情報端末装置であって、前記アクセス権限付き情報のモードを変更する所定の条件として複数の条件を有し、前記複数の条件のうちの特定の条件を満たす場合、前記モード変更手段は、前記満たされた条件に対応する前記アクセス権限付き情報のモードの変更を行うものも含まれる。
【００１６】
この構成により、例えば、所定の条件として複数の経過日時を設定し、時間経過に応じて経過日時ごとにそれぞれ所定の動作を実行させることが可能であり、時間をずらして異なる動作を実行させることができる。また、例えば、時間と場所の条件を設定し、これら複数の条件を満たす場合に所定の動作を実行させることも可能である。上記複数の条件のうちの特定の条件を満たす場合としては、複数の条件のうちの１つを満たす場合、複数の条件のうちの特定の複数の条件を満たす場合、複数の条件の全てを満たす場合、などが含まれる。
【００１７】
また、本発明の一態様として、上記の情報端末装置であって、前記検出されるイベント情報は通知信号であり、前記通知信号が前記所定の条件を満たす場合、前記モード変更手段は、前記アクセス権限付き情報のモードを変更するものも含まれる。
【００１８】
この構成により、例えば、外部からの通知信号の受信など、受動的なイベントによってアクセス権限付き情報のモードを変更でき、通知に応じて所定の動作を実行可能にすることができる。
【００１９】
また、本発明の一態様として、上記の情報端末装置であって、前記実行手段は、通信手段及びコンテンツ再生手段を有し、前記アクセス権限付き情報に記述されたコンテンツ供給元にアクセスして所定のコンテンツを取得し、このコンテンツを閲覧可能にするものも含まれる。
【００２０】
この構成により、アクセス権限付き情報のモードに応じて、実行可能な場合はこのアクセス権限付き情報によって所定のＵＲＬ等の指定情報で指定されるコンテンツ供給元よりコンテンツを取得して閲覧可能にすることができる。
【００２１】
また、本発明の一態様として、上記の情報端末装置であって、前記実行手段は、コンテンツ再生手段を有し、前記アクセス権限付き情報に記述された内容に関連する情報の再生を行うものも含まれる。
【００２２】
この構成により、アクセス権限付き情報のモードに応じて、実行可能な場合はこのアクセス権限付き情報の電子バリューに含まれるコンテンツを再生することができる。
【００２３】
また、本発明の一態様として、上記の情報端末装置であって、前記実行手段は、前記アクセス権限付き情報に記述された内容に基づき、当該情報端末装置における機能の動作制御を行うものも含まれる。
【００２４】
この構成により、アクセス権限付き情報のモードに応じて、実行可能な場合はこのアクセス権限付き情報によって情報端末装置における機能を制御することが可能となる。したがって、例えば携帯電話の機能など、様々な機能の拡張性を高めることができる。
【００２５】
本発明の端末制御方法は、アクセス権限付き情報を含む電子バリューを利用する情報端末装置の端末制御方法であって、前記アクセス権限付き情報を含む電子バリューを記憶する記憶ステップと、イベント情報を検出するイベント検出ステップと、前記検出したイベント情報が所定の条件を満たすか否かを判別する判別ステップと、前記イベント情報が所定の条件を満たす場合、前記電子バリューに設定されたアクセス権限付き情報のモードを変更するモード変更ステップと、前記アクセス権限付き情報のモードに基づき、このアクセス権限付き情報に記述された内容の動作を実行する実行ステップとを有するものである。
【００２６】
この手順により、電子バリューにアクセス権限付き情報を設定しておき、所定の条件が成立した場合、アクセス権限付き情報のモードを変更することで、アクセス権限付き情報に記述された機能の設定等を変更して当該記述内容の実行を制御することができ、アクセス権限付き情報によって情報端末装置の機能の拡張性を高めることが可能となる。
【００２７】
また、本発明は、情報端末装置内のコンピュータに、上記の端末制御方法の各ステップを実行させるためのプログラムを提供する。
【発明の効果】
【００２８】
本発明によれば、電子バリューを用いて、所定の条件が成立した場合にアクセス権限付き情報のモードを変更して機能の設定変更等を行うことで、機能の拡張性を高めることが可能な情報端末装置、及びその端末制御方法並びにプログラムを提供できる。
【発明を実施するための最良の形態】
【００２９】
（第１の実施形態）
本実施形態では、情報端末装置の一例として、電子チケット、電子クーポンなどの電子バリューを利用可能な携帯電話装置の構成例を示す。この携帯電話装置は、装置内に記憶する電子バリューにおいて後述するアクセス権限付き情報が設定され、このアクセス権限付き情報によって機能の設定変更や動作制御等が可能になっている。
【００３０】
図１は本発明の第１の実施形態に係る携帯電話装置の機能的構成を示すブロック図である。携帯電話装置１は、受信部２、記憶部３、ゲート通知受信部４、アクセス権限付き情報処理部であるアクセス権限付き情報モード変更部５及びアクセス権限付き情報実行部６、ブラウザ７を有して構成される。これらのうち、アクセス権限付き情報モード変更部５、アクセス権限付き情報実行部６、ブラウザ７などの機能は、携帯電話装置に予め搭載されているプログラム、あるいはダウンロードによりメモリに保存されたプログラムを、プロセッサが実行することにより実現される。また、電子バリューがプログラムで構成される場合もある。
【００３１】
受信部２は、無線通信機能を有し、電子バリューを取得可能に構成される。受信部２は、電子バリューとして電子チケットを購入する際、サービスプロバイダ（電子チケット発行機関）である電子チケットサーバ１１と移動体通信網及びネットワーク等を介して通信を行い、電子チケットサーバ１１が発行する電子チケットを受信する。なお、電子バリューは、無線通信だけでなく、有線通信を用いたり、あるいは、ＳＤカード等によるメモリカード等の媒体を用いて取得することも可能である。記憶部３は、記憶手段の一例に相当するものであり、受信部２で受信した電子チケットの情報が記憶部３に転送されて記憶される。第１及び第２の実施形態では、電子チケットサーバ１１から発行される電子チケットは、アクセス権限付き情報が設定された映画鑑賞用の電子チケットであるものとする。そして、アクセス権限付き情報には、例えば、実行不可モードに設定された「直ちに、http://example.comを参照する」という動作内容が記述されているものとする。
【００３２】
ゲート通知受信部４は、近距離無線通信機能を有し、イベント検出手段及び第２のイベント検出手段の一例に相当するものである。ゲート通知受信部４は、映画館に設置されたゲート（改札）１２と近距離無線通信を行い、ゲート１２から入場通知及び出場通知を受信する。アクセス権限付き情報モード変更部５は、判別手段及びモード変更手段の一例に相当するものである。アクセス権限付き情報モード変更部５は、ゲート通知受信部４から変更要求を受け付けると、記憶部３に記憶されている電子チケットに含まれるアクセス権限付き情報のモードを変更する。
【００３３】
アクセス権限付き情報実行部６は、実行手段の一例に相当するものである。アクセス権限付き情報実行部６は、ゲート通知受信部４からの実行要求を受けたときに、現在のモードに応じてアクセス権限付き情報を参照する。実行可能モード等でアクセス可能な場合は、アクセス権限付き情報実行部６は記憶部３からアクセス権限付き情報を読み出し、アクセス権限付き情報に記述された内容の動作を実行する。そして、このアクセス権限付き情報に記述された内容の動作を実行する際、ブラウザ７にアクセス先情報としてＵＲＬ（Uniform Resource Locator）を転送する。ブラウザ７は、通信手段及びコンテンツ再生手段の機能を有し、受信したＵＲＬを基に、Ｗｅｂサーバ１３に対してコンテンツを要求し、Ｗｅｂサーバ１３から返信されるコンテンツを閲覧可能にする。
【００３４】
図２は電子チケットサーバ１１から送信され、記憶部３に記憶される電子チケットのデータ構成例を示す図である。この電子チケット２１は、ＩＤ２２、タイトル２３、日時２４、会場名２５、値段２６、座席グレード２７、座席番号２８、主催者名２９、発行者名３０、アクセス権限付き情報３１、及び正当性チェック用データ３２の各情報を有して構成される。
【００３５】
アクセス権限付き情報３１には、所定の条件が成立すると、モードを変更して実行不可や閲覧不可等の制限が解除される動作内容がいくつか記述されている。ここでは、「ご利用頂きありがとうございます。」の文字を表示する動作が「実行不可」のモードとなっている。また、ＵＲＬ「http://example.com」で示されるＷｅｂサイトにアクセスする動作が「実行不可」かつ「閲覧不可」のモードとなっている。また、携帯電話装置の機能を使用し、その表示部に映画のあるシーンの画像を表示する動作が「閲覧不可」のモードとなっている。
【００３６】
図３は第１の実施形態におけるアクセス権限付き情報を用いた携帯電話装置の制御処理手順を示すフローチャートである。ここでは、携帯電話装置を所有するユーザが映画館に出入りする場合を想定する。
【００３７】
まず、ゲート通知受信部４が映画館に設置されたゲート１２から信号（入場信号あるいは出場信号）を受信したか否かを判別し、信号を受信するまで待つ（ステップＳ１）。ゲート１２から信号を受信すると、その信号が入場信号であるか出場信号であるかを判別する（ステップＳ２）。入場信号である場合、ゲート通知受信部４は、アクセス権限付き情報モード変更部５に対し、変更要求を通知する（ステップＳ３）。アクセス権限付き情報モード変更部５は、変更要求を受けると、記憶部３に記憶されている電子チケット内のアクセス権限付き情報を変更する（ステップＳ４）。この後、本処理を終了する。このアクセス権限付き情報の変更によって、ＵＲＬ「http://example.com」で示されるＷｅｂサイトへのアクセス動作は、実行不可モードから実行可能モードに変更される。このように、本実施形態の例では、モード変更条件として、入場信号を受信することが必要である。
【００３８】
また、ステップＳ２で出場信号であった場合、ゲート通知受信部４は、アクセス権限付き情報実行部６に対し、実行要求を通知する（ステップＳ５）。アクセス権限付き情報実行部６は、記憶部３に記憶されているアクセス権限付き情報を参照し、実行可能であるか否かを判別する（ステップＳ６）。実行可能でない場合、本処理を終了する。
【００３９】
一方、実行可能である場合（ここでは、前述したように、入場によって実行可能モードに変更されている）、アクセス権限付き情報に記述されている内容の動作を実行する（ステップＳ７）。この場合は、Ｗｅｂサイトへアクセスしてコンテンツを取得するために、ブラウザ７にＵＲＬを転送する。そして、ブラウザ７は、転送されたＵＲＬに基づいてＷｅｂサーバ１３にアクセスしてコンテンツを要求し、Ｗｅｂサーバ１３から送られてくるコンテンツを取得して閲覧可能にする（ステップＳ８）。この後、本処理を終了する。ここでは、アクセス先のＷｅｂサイトには、電子チケットに対応する映画を見た人のためだけの情報が置かれている。この情報としては、例えば、出演者の感想等のインタビュー、携帯電話装置による映画の再視聴、映画の壁紙や着信メロディなどのダウンロードサービス、アンケートなどがある。
【００４０】
上記のように、第１の実施形態では、ユーザは電子チケットが記憶された携帯電話装置１を持って映画館のゲート１２を入場すると、アクセス権限付き情報モード変更部５によって電子チケットのアクセス権限付き情報３１が実行不可から実行可能に変更される。そして、映画を見終わったユーザが携帯電話装置１を持ってゲート１２を出場すると、アクセス権限付き情報実行部６によって、アクセス権限付き情報３１に記述された内容の動作が実行される。このとき、ブラウザ７によってアクセス権限付き情報実行部６から転送されたＵＲＬのＷｅｂサイトにコンテンツを要求し、Ｗｅｂサイトから送られてくるコンテンツを閲覧可能にする。したがって、電子チケットが記憶された携帯電話装置１を所持したユーザが映画館を入出場するという行為によって、この電子チケットのアクセス権限付き情報のモードを変更し、制限されていた機能を実行可能にすることができる。
【００４１】
なお、上記実施形態では、ユーザが映画館に入場しかつ出場しない限り、Ｗｅｂサイトへのアクセス動作に関するアクセス権限付き情報が実行可能とならないため、該当ＵＲＬの情報にアクセスすることはできない。また、Ｗｅｂサイトにアクセスする場合でも、携帯電話装置の表示部には、ＵＲＬが表示されないようにする。この対処としては、例えばＵＲＬを暗号化しておくことが挙げられる。これにより、映画を見ていない人にＵＲＬ等のアクセス先情報が漏洩して勝手に閲覧されることを防止できる。
【００４２】
また、アクセス権限付き情報に記述されているその他の動作内容（図２参照）、「ご利用頂きありがとうございます。」を表示する動作や、映画のあるシーンの画像を表示する動作については、ここでは説明しなかったが、入退場後に同様に実行されるようにしてもよいことは勿論である。例えば、ユーザが携帯電話装置を持ってゲートを入場したり退場した際に、アクセス権限付き情報を変更すると同時に、「ご利用頂きありがとうございます。」を表示する動作を実行するようにしてもよい。また、ユーザが携帯電話装置を持ってゲートを出場した後、携帯電話装置の特定のボタンが操作された場合、映画のあるシーンの画像を表示する動作を実行するようにしてもよい。
【００４３】
このように第１の実施形態によれば、予め電子チケットにアクセス権限付き情報を設定しておき、映画館の入出場という条件の成立によって電子チケットのアクセス権限付き情報に記述された機能の設定を変更することで、当該機能の実行を制御することができ、アクセス権限付き情報により情報端末装置の機能を拡張することができる。
【００４４】
（第２の実施形態）
図４は本発明の第２の実施形態に係る携帯電話装置の機能的構成を示すブロック図である。第２の実施形態の携帯電話装置５１は、受信部２、記憶部３、ゲート通知受信部４Ａ、アクセス権限付き情報処理部であるアクセス権限付き情報モード変更部５及びアクセス権限付き情報実行部６Ａ、ブラウザ７、入力部８を有して構成される。これらのうち、アクセス権限付き情報モード変更部５、アクセス権限付き情報実行部６Ａ、ブラウザ７などの機能は、携帯電話装置に予め搭載されているプログラム、あるいはダウンロードによりメモリに保存されたプログラムを、プロセッサが実行することにより実現される。また、電子バリューがプログラムで構成される場合もある。なお、第１の実施形態と同様の構成要素には同一の符号を付している。
【００４５】
第２の実施形態では、ユーザからの要求を受け付ける操作キー等により構成される入力部８を備えている。この入力部８は、第２のイベント検出手段の一例に相当するものである。また、ゲート通知受信部４Ａは、ユーザが映画館から出場する際にゲート１２から出場信号を受信すると、アクセス権限付き情報モード変更部５に変更要求を通知する。アクセス権限付き情報実行部６Ａは、入力部８を通じてユーザからの要求を受信すると、アクセス権限付き情報３１に記述された内容の動作を実行する。
【００４６】
図５は第２の実施形態におけるアクセス権限付き情報を用いた携帯電話装置の制御処理手順を示すフローチャートである。ここでは、第１の実施形態と同様、携帯電話装置を所有するユーザが映画館に出入りする場合を想定する。
【００４７】
まず、ゲート通知受信部４Ａが映画館に設置されたゲート１２から、ユーザが映画鑑賞を終えて映画館から出場する際、出場信号を受信したか否かを判別する（ステップＳ１１）。このように出場信号を受信した場合、ゲート通知受信部４Ａは、アクセス権限付き情報モード変更部５に対し、変更要求を通知する（ステップＳ１２）。このように、本実施形態の例では、モード変更条件として、出場信号を受信することが必要である。なお、入場信号を受信した後に出場信号を受信した場合に、すなわち入場信号及び出場信号の両方を受信することによって、変更要求を通知するようにしてもよい。
【００４８】
アクセス権限付き情報モード変更部５は、変更要求を受けると、記憶部３に記憶されている電子チケット内のアクセス権限付き情報３１を変更する（ステップＳ１３）。この後、本処理を終了する。このアクセス権限付き情報の変更によって、ＵＲＬ「http://example.com」で示されるＷｅｂサイトへのアクセス動作は、実行不可モードから実行可能モードに変更される。
【００４９】
一方、ステップＳ１１でゲート１２から出場信号を受信していない場合、入力部８を通じてユーザからの要求があったか否かを判別する（ステップＳ１４）。ユーザからの要求がない場合、そのまま本処理を終了する。また一方、ユーザからの要求があった場合、入力部８は、アクセス権限付き情報実行部６Ａに対し、実行要求を通知する（ステップＳ１５）。アクセス権限付き情報実行部６Ａは、記憶部３に記憶されているアクセス権限付き情報３１を参照し、実行可能であるか否かを判別する（ステップＳ１６）。実行可能でない場合、本処理を終了する。
【００５０】
一方、実行可能である場合、アクセス権限付き情報３１に記載されている内容の動作を実行する（ステップＳ１７）。この場合は、Ｗｅｂサイトへアクセスしてコンテンツを取得するために、ブラウザ７にＵＲＬを転送する。そして、ブラウザ７は、転送されたＵＲＬに基づいてＷｅｂサーバ１３にアクセスしてコンテンツを要求し、Ｗｅｂサーバ１３から送られてくるコンテンツを取得して閲覧可能にする（ステップＳ１８）。この後、本処理を終了する。ここでは、第１の実施形態と同様、アクセス先のＷｅｂサイトには、電子チケットに対応する映画を見た人のためだけの情報が置かれている。この情報としては、例えば、出演者の感想等のインタビュー、携帯電話装置による映画の再視聴、映画の壁紙や着信メロディなどのダウンロードサービス、アンケートなどがある。
【００５１】
このように、第２の実施形態によれば、第１の実施形態と同様、映画館の出場という条件の成立によって電子チケットのアクセス権限付き情報に記述された機能の設定を変更することで、当該機能の実行を制御することができ、アクセス権限付き情報によって情報端末装置の機能を拡張することができる。また、第２の実施形態では、アクセス権限付き情報に記述された機能を実行する際、ユーザの意思を反映させることができる。
【００５２】
（第３の実施形態）
図６は本発明の第３の実施形態に係る携帯電話装置の機能的構成を示すブロック図である。第３の実施形態の携帯電話装置６１は、受信部２、記憶部３、アクセス権限付き情報処理部であるアクセス権限付き情報モード変更部５Ａ及びアクセス権限付き情報実行部６Ａ、入力部８、時計部９、コンテンツ再生部１０を有して構成される。これらのうち、アクセス権限付き情報モード変更部５Ａ、アクセス権限付き情報実行部６Ａ、時計部９などの機能は、携帯電話装置に予め搭載されているプログラム、あるいはダウンロードによりメモリに保存されたプログラムを、プロセッサが実行することにより実現される。また、電子バリューがプログラムで構成される場合もある。なお、第１及び第２の実施形態と同様の構成要素には同一の符号を付している。
【００５３】
第３の実施形態では、電子チケットサーバ１１から発行される電子チケットは、アクセス権限付き情報が設定されたコンサート視聴用の電子チケットであるものとする。そして、アクセス権限付き情報には、例えば、コンサートの予告情報が含まれており、アクセス権限付き情報には、実行（閲覧）不可モードに設定された「要求により、コンサートの予告を再生する」という動作内容が記述されているものとする。
【００５４】
この第３の実施形態の携帯電話装置６１は、ユーザからの要求を受け付ける操作キー等による入力部８の他に、現在の日付及び時刻（日時）を計時し、アクセス権限付き情報モード変更部５Ａに変更要求を指示する時計部９と、アクセス権限付き情報実行部６Ａによってコンサートの予告を再生する液晶ディスプレイ等の表示部またはスピーカ等の音声出力部を含むコンテンツ再生部１０とを備えている。このコンテンツ再生部１０は、コンテンツ再生手段の一例に相当するものである。また、アクセス権限付き情報実行部６Ａは、入力部８を介してユーザからの要求を受信すると、アクセス権限付き情報に記述された内容の動作を実行し、コンテンツ再生部１０によりコンサートの予告を再生する。
【００５５】
図７及び図８は第３の実施形態におけるアクセス権限付き情報を用いた携帯電話装置の制御処理手順を示すフローチャートである。図７はアクセス権限付き情報の変更処理を示している。この処理は所定時間経過毎に繰り返し実行される。ここでは、コンサートの開始１週間前に、電子チケットに含まれるアクセス権限付き情報が変更される場合を示す。まず、時計部９は、記憶部３に記憶されている電子チケットからコンサートの日時情報及びモード変更条件を取得する（ステップＳ２１）。時計部９は、取得したコンサートの日時情報を基に、モード変更条件が成立したか否か、つまり計時している現在の日時がコンサート開始１週間前に達したか否かを判別する（ステップＳ２２）。コンサート開始１週間前に達していない場合、本処理を終了する。
【００５６】
一方、コンサート開始１週間前に達している場合、時計部９は、アクセス権限付き情報モード変更部５Ａに対し、変更要求を通知する（ステップＳ２３）。アクセス権限付き情報モード変更部５Ａは、変更要求通知を受けると、記憶部３に記憶されている電子チケット内のアクセス権限付き情報を変更する（ステップＳ２４）。この後、本処理を終了する。このアクセス権限付き情報の変更によって、「要求により、コンサートの予告を再生する」という内容の動作は、実行（閲覧）不可モードから実行（閲覧）可能モードに変更される。
【００５７】
図８はアクセス権限付き情報の実行処理を示している。まず、入力部８を通じてユーザからの要求があったか否かを判別する（ステップＳ３１）。ユーザからの要求がない場合、そのまま本処理を終了する。一方、ユーザからの要求があった場合、入力部８は、アクセス権限付き情報実行部６Ａに対し、実行要求を通知する（ステップＳ３２）。アクセス権限付き情報実行部６Ａは、記憶部３に記憶されているアクセス権限付き情報を参照し、実行可能であるか否かを判別する（ステップＳ３３）。実行可能でない場合、本処理を終了する。一方、実行可能である場合、アクセス権限付き情報に記述されている内容の動作を実行する（ステップＳ３４）。この場合は、コンサートの予告を再生するために、記憶部３に記憶されている電子チケットからコンサートの予告情報を読み出し、コンテンツ再生部１０に転送して予告を再生する（ステップＳ３５）。この後、本処理を終了する。
【００５８】
このように、第３の実施形態によれば、現在の日時が所定の日時に達したことにより、電子チケットのアクセス権限付き情報のモードを変更して、制限されていた機能を実行可能にし、コンサートの予告等を再生することができる。したがって、予め電子チケットにアクセス権限付き情報を設定しておき、所定日時の経過という条件の成立によって電子チケットのアクセス権限付き情報に記述された機能の設定を変更することで、当該機能の実行を制御することができ、アクセス権限付き情報により情報端末装置の機能を拡張することができる。また、アクセス権限付き情報に記述された機能を実行する際、ユーザの意思を反映させることができる。
【００５９】
なお、上記の例では、電子チケットにコンサートの予告情報が含まれており、この予告情報を再生する場合を示したが、これに限らず、Ｗｅｂサイト等にアクセスしてコンサートの予告情報を含むコンテンツをダウンロードして取得し、この予告情報を再生してもよい。また、ユーザからの要求が無くとも、自発的にコンサートの予告を再生するようにしてもよい。
【００６０】
（第４の実施形態）
第４の実施形態は第３の実施形態の変形例であり、携帯電話装置の機能的構成は同様である。第４の実施形態では、アクセス権限付き情報に記述された複数（ここでは２つ）の内容の動作を、異なる所定の日時に達する都度、それぞれ１つずつ実行不可モードから実行可能モードに変更する場合を示す。アクセス権限付き情報には、実行閲覧不可モードに設定された「要求により、コンサートの第１予告を再生する」、及び「要求により、コンサートの第２予告を再生する」という２つの動作内容が記述されているものとする。
【００６１】
図９は第４の実施形態におけるアクセス権限付き情報を用いた携帯電話装置の制御処理手順を示すフローチャートである。この図９には、アクセス権限付き情報の変更処理を示している。
【００６２】
この変更処理は、所定時間経過毎に実行される。ここでは、コンサートの開始１週間前と開始３日前に、電子チケットに含まれるアクセス権限付き情報を変更する場合を示す。まず、時計部９は、記憶部３に記憶されている電子チケットからコンサートの日時情報及びモード変更条件を取得する（ステップＳ４１）。ここでは、モード変更条件として、コンサート開始１週間前に達したこと、及びコンサート開始３日前に達したことの２つの条件が取得される。
【００６３】
そして、時計部９は、取得したコンサートの日時情報を基に、第２のモード変更条件が成立したか否か、つまり計時している現在の日時がコンサート開始３日前に達したか否かを判別する（ステップＳ４２）。コンサート開始３日前に達していない場合、第１のモード変更条件が成立したか否か、つまり現在の日時がコンサート開始１週間前に達したか否かを判別する（ステップＳ４３）。コンサート開始１週間前に達していない場合、本処理を終了する。
【００６４】
一方、コンサート開始１週間前に達している場合、時計部９は、アクセス権限付き情報モード変更部５Ａに対し、第１の変更要求を通知する（ステップＳ４４）。アクセス権限付き情報モード変更部５Ａは、第１の変更要求通知を受けると、記憶部３に記憶されている電子チケット内のアクセス権限付き情報を変更する（ステップＳ４５）。この後、本処理を終了する。このアクセス権限付き情報のモード変更Ａによって、「要求により、コンサートの第１予告を再生する」という内容の動作が、実行不可モードから実行可能モードに変更される。
【００６５】
また一方、ステップＳ４２でコンサート開始３日前に達している場合、時計部９は、アクセス権限付き情報モード変更部５Ａに対し、第２の変更要求を通知する（ステップＳ４６）。アクセス権限付き情報モード変更部５Ａは、第２の変更要求を受けると、記憶部３に記憶されている電子チケット内のアクセス権限付き情報を変更する（ステップＳ４７）。この後、本処理を終了する。このアクセス権限付き情報のモード変更Ｂによって、「要求により、コンサートの第２予告を再生する」という内容の動作が、実行不可モードから実行可能モードに変更される。この後、アクセス権限付き情報の実行処理については、図８に示した前記第３の実施形態と同様であるので、その説明を省略する。
【００６６】
このように、第４の実施形態によれば、現在の日時が所定の日時に達したことにより、コンサートの第１予告、第２予告をそれぞれの該当日時においてユーザに閲覧させることが可能であり、複数の予告を日時をずらして再生することができる。
【００６７】
なお、第３の実施形態と同様、電子チケットに含まれているコンサートの第１予告及び第２予告に関する予告情報を再生する代わりに、Ｗｅｂサイト等にアクセスしてコンサートの第１予告及び第２予告に関する予告情報のコンテンツをダウンロードして取得し、再生してもよい。また、ユーザからの要求が無くとも、自発的にコンサートの予告を再生するようにしてもよい。
【００６８】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００６９】
例えば、電子バリュー（電子情報による金銭的価値）としては、上記実施形態で示した電子チケットの他、電子クーポン、ＪＡＶＡ（登録商標）アプリなどのプログラム、デジタル署名付きのコンテンツ等であってもよい。また、電子バリューの表現方法は、テキスト情報、あるいはＸＭＬ（Extensible Markup Language）、ＣＭＳ（content management system）などでフォーマット化された情報でもよく、用途は特に限定されない。デジタル署名付きの場合、アクセス権限付き情報のモードについては、変更があるため署名を設けないようにする。また、アクセス権限付き情報のモードとしては、実行可能／実行不可のモード、閲覧可能／閲覧不可のモード等が挙げられる。電子バリュー内のデータのアクセス権限については、フラグ、ＸＭＬのタグ等の識別子で管理してもよく、暗号化／復号化によって管理してもよい。また、電子バリューに付加される情報としては、パスワードやＩＤ、暗号鍵、イベント関連や広告等のコンテンツなどの情報が挙げられる。
【００７０】
上記実施形態では、モード変更条件の例として、信号等の通知による場合、時間による場合を示したが、これらに限られるものではなく、例えば、ユーザの要求による場合、特定の場所による場合、物理量の変化による場合などが挙げられる。また、これらの組合せであってもよい。通知による場合としては、入場信号、出場信号等の通知信号を受信することの他、サーバからのオープンネットワーク（モバイルネットワーク、インターネット等）を経由した通知、電子タグからの通知、メールの受信、音声通話等の着呼などが挙げられる。時間による場合としては、現在時刻が所定時刻に達した場合、該当イベントの開始前や開始後から所定時間に達した場合などが挙げられる。ユーザの要求による場合としては、ボタンの押下、折り畳み式携帯電話装置を開く動作などが挙げられる。特定の場所による場合としては、会場から一定の距離範囲に入ったことなどが挙げられる。物理量の変化による場合としては、温度、湿度、高度、速度、音量、高度、振動などが所定値に達したことなどが挙げられる。
【００７１】
また、上記実施形態では、制御対象に対して実行する動作の例として、所定ＵＲＬへのアクセス、コンテンツの表示／再生を示したが、この他、ユーザへの通知、料金の通知、カメラ撮影、端末の動作禁止などであってもよく、特に限定されない。また、これらの動作の組合せであってもよい。ユーザの通知としては、例えば、（１）イベント開始のＸ時間前にユーザがある条件を満たしている場合に通知する、（２）イベント開始前のＸ時間前に会場から一定距離範囲内にいる場合に通知する、（３）イベント開始のＸ時間前にユーザがある条件を満たしていない場合に通知する、（４）イベント開始前のＸ時間前に会場から一定距離範囲内にいない場合に通知する、（５）イベント開始前のＸ時間前に決済が済んでいない場合に通知することが挙げられる。
【００７２】
また、料金の通知としては、表示部上のポップアップ画面による通知、メールによる通知などが挙げられる。コンテンツの表示／再生としては、テキストの表示、静止画の表示、動画の再生、音楽再生などが挙げられる。カメラ撮影の場合、撮影した画像を送信したり、サーバにアップロードすることが挙げられる。
【００７３】
端末の動作禁止としては、電源のオフ、マナーモードの設定（マナーモード、留守番電話モード、ドライブモードなど）、電波の発信／着信の禁止（基地局との交信、通話）、モバイルインターネット（メール、プラウジング）の禁止、近距離無線通信（ＰＨＳのトランジスタモード、Ｂｌｕｅｔｏｏｔｈ（登録商標）、赤外線通信（ＩｒＤＡ）、非接触ＩＣ通信等）のオフ、カメラの禁止（撮影禁止、ある一定以上の画質での撮影禁止、動画撮影の禁止（静止画はＯＫ）、静止画撮影の禁止（動画はＯＫ）、望遠禁止など）、音出力のオフまたは音量低下（着信音、入力音、アラーム、ゲーム音などのオフまたは音量低下）、光のオフまたは光量低下（バックライト光のオフまたは輝度低下、フラッシュの禁止）、端末能力の制限（送信電力の強い端末を規制、ＰＤＣ方式の使用禁止（ＰＨＳは使用可能））、録音の禁止などが挙げられる。
【００７４】
また、上記実施形態では、情報端末装置として、携帯電話装置を示したが、これに限らず、携帯情報端末（ＰＤＡ）、ノート型ＰＣなどであってもよく、通信方式、筐体の形状などは特に限定されない。
【産業上の利用可能性】
【００７５】
本発明は、電子バリューを用いて、所定の条件が成立した場合に機能の設定変更等を行うことで、機能の拡張性を高めることができる効果を有し、電子チケット等の電子バリューを利用可能な情報端末装置等に有用である。
【図面の簡単な説明】
【００７６】
【図１】本発明の第１の実施形態に係る携帯電話装置の機能的構成を示すブロック図
【図２】電子チケットサーバから送信され、記憶部に記憶される電子チケットのデータ構成例を示す図
【図３】第１の実施形態におけるアクセス権限付き情報を用いた携帯電話装置の制御処理手順を示すフローチャート
【図４】本発明の第２の実施形態に係る携帯電話装置の機能的構成を示すブロック図
【図５】第２の実施形態におけるアクセス権限付き情報を用いた携帯電話装置の制御処理手順を示すフローチャート
【図６】本発明の第３の実施形態に係る携帯電話装置の機能的構成を示すブロック図
【図７】第３の実施形態におけるアクセス権限付き情報の変更処理の手順を示すフローチャート
【図８】第３の実施形態におけるアクセス権限付き情報の実行処理の手順を示すフローチャート
【図９】第４の実施形態におけるアクセス権限付き情報の変更処理の手順を示すフローチャート
【符号の説明】
【００７７】
１、５１、６１  携帯電話装置
２  受信部
３  記憶部
４  ゲート通知受信部
５  アクセス権限付き情報モード変更部
６  アクセス権限付き情報実行部
７  ブラウザ
８  入力部
９  時計部
１０  コンテンツ再生部
１１  電子チケットサーバ
１２  ゲート
２１  電子チケット
３１  アクセス権限付き情報
【図１】
2005209011.tif 000003
【図２】
2005209011.tif 000004
【図３】
2005209011.tif 000005
【図４】
2005209011.tif 000006
【図５】
2005209011.tif 000007
【図６】
2005209011.tif 000008
【図７】
2005209011.tif 000009
【図８】
2005209011.tif 000010
【図９】
2005209011.tif 000011